(57)【要約】      （修正有）【課題】壁際設置等で、扉支点を中心に片開きを行う扉を９０度以上開くことができない状況でも、引出し部を引き出すことができ、かつ、保守時の保守スペースを確保できる自動取引装置を提供する。【解決手段】装置本体に取り付けられた扉支点２７を中心に片開きを行う扉２０と、装置本体内部に引出し部１８を有し、前記引出し部を装置本体外に引出し可能な自動取引装置において、装置本体及び引出し部に引出し部材１９を設け、前記引き出し部材を介し、前記引出し部を前記扉から離れる方向に斜めに引き出すことができるようにしている。【選択図】図４
2014164312.tif 000002
【特許請求の範囲】
【請求項１】
装置本体に取り付けられた扉支点を中心に片開きを行う扉と、装置本体内部に引出し部を有し、前記引出し部を装置本体外に引出し可能な自動取引装置において、
前記装置本体及び前記引出し部に引出し部材を設け、
前記引き出し部材を介し、前記引出し部を前記扉から離れる方向に斜めに引き出すことができるようにしたことを特徴とする自動取引装置。
【請求項２】
前記引出し部材は、スライドレールであり、前記スライドレールは装置本体及び引出し部に斜めに取り付けられたことを特徴とする請求項１記載の自動取引装置。
【請求項３】
前記スライドレールは、装置本体内部の左右側面に設けたことを特徴とする請求項２記載の自動取引装置。
【請求項４】
前記スライドレールは、装置本体内部底面に設けたことを特徴とする請求項２又は３記載の自動取引装置。
【請求項５】
装置本体内部の左右側面の少なくとも一方に設けた前記スライドレールに加え、さらに前記引出し部の底面にキャスタを設けたことを特徴とする請求項３記載の自動取引装置。
【請求項６】
前記スライドレールは、ブラケットを使用して装置本体に固定していることを特徴とする請求項２記載の自動取引装置。
【請求項７】
前記スライドレールは、ブラケットを使用して引出し部に固定していることを特徴とする請求項２記載の自動取引装置。
【請求項８】
前記ブラケットは、固定部の左右両端から突出している突出部の長さが異なることを特徴とする請求項６又は７記載の自動取引装置。
【発明の詳細な説明】
【技術分野】
【０００１】
本発明は、自動取引装置等において装置本体内に収納されているユニット等の引出し部を引き出す構造に関するものである。
【背景技術】
【０００２】
一般に、金融機関や流通機関等に設置される現金自動預払機などの自動取引装置では、係員がメンテナンスを行いやすいように、スライドレールを使ってユニットを装置本体の背面側から引き出せるようになっている。
【０００３】
例えば、図１５に示したように、２本を１組としてスライドレール１７を左右に配置し、ネジを使用して装置本体及びユニットに固定している。スライドレール１７を装置本体及びユニットに固定することで、同図に示したように、矢印方向に装置本体から引き出したり、収納できるようになっている。（例えば、特許文献１参照）
【０００４】
図１６に示したように、装置本体の背面側には、後扉２０が設けられており、扉支点２７を軸に回転して扉が開く構造となっている。また、内部に錠等を実装し、並びにセキュリティを向上させている関係上、扉が厚い形状になっている。
【０００５】
図１７は、扉支点２７を装置前面から見て前側（Ａ部）に配置した場合であり、後扉２０を９０度開けたときに、扉が装置外形よりもＢの分だけ出っ張ってしまうため、壁際設置などで装置側面のスペースがない場合には扉が開かないという問題が起こる。
【０００６】
そこで、扉支点２７を装置前面から見て後側（Ｃ部）に配置し、図１８ａに示した通り、後扉２０を９０度開いても扉が装置外形よりも出っ張らないようにしている。
【先行技術文献】
【特許文献】
【０００７】
【特許文献１】特開２００６−１９５６０１
【発明の概要】
【発明が解決しようとする課題】
【０００８】
しかしながら、上記従来の自動取引装置では、扉を開けてユニットを引き出そうとすると、扉の厚さが装置内側に出っ張るため、図１８ｂに示すように、後扉２０がユニットの引き出す軌跡にぶつかってしまい（Ｄ部）、後扉２０を開けた後にユニットを引き出すことができないという問題があった。
【０００９】
またユニットが接触しない位置まで後扉２０を開こうとすると、扉を９０度以上開く必要があり、扉が装置外形より飛び出てしまうため、スペースがない場所に設置できないという問題が発生していた。
【課題を解決するための手段】
【００１０】
装置本体に取り付けられた扉支点を中心に片開きを行う扉と、装置本体内部に引出し部を有し、前記引出し部を装置本体外に引出し可能な自動取引装置において、装置本体及び引出し部に引出し部材を設け、前記引き出し部材を介し、前記引出し部を前記扉から離れる方向に斜めに引き出すことができるようにしている。
【発明の効果】
【００１１】
本発明におけるユニット等の引出し部を引き出す構造によれば、扉の開く角度が小さくてもユニットを引き出すことができる。
【図面の簡単な説明】
【００１２】
【図１】現金自動預払機の外観図
【図２】現金自動預払機の内部構成図
【図３】ブラケットの拡大図
【図４】スライドレール構造の上面図
【図５】スライドレールの斜視図
【図６】ブラケットを用いたスライドレールと装置本体との固定図
【図７】ブラケットを用いたスライドレールと引出し部との固定図
【図８】引出し部を引き出した際の上面図
【図９】スライドレールの動作説明図
【図１０】装置本体内部底面にスライドレールを設けた上面図
【図１１】複数の引出し部を備えた現金自動預払機
【図１２】引出し部の底面にキャスタを用いた上面図
【図１３ａ】引出し部の底面に対して斜めに取り付けたキャスタの配置
【図１３ｂ】２つのキャスタを斜めに配置した図
【図１４】引出し部の底面にキャスタを用いた引き出し構造
【図１５】従来の現金自動預払機のスライドレール構造
【図１６】従来の現金自動預払機の三面図
【図１７】扉の支点を前側（Ａ部）に設けたときの扉動作図
【図１８ａ】扉の支点を後側（Ｃ部）設けたときの扉動作図
【図１８ｂ】引出し部を引き出したときの扉と引出し部が接触する図
【発明を実施するための形態】
【００１３】
以下、本発明に係わる実施の形態例を、図面を用いて説明する。図面に共通する要素には同一の符号を付す。なお、以下の説明では、紙幣を取り扱う現金自動預払機を例として説明するが、装置本体に内蔵されるユニットを引き出す構成の装置であれば、本発明を適用することができる。
【実施例１】
【００１４】
（現金自動預払機の外観構成）
図１は、現金自動預払機１の外観図であり、硬貨入出金口２、紙幣入出金口３、通帳挿入口４、カード挿入口５、表示操作部６を備えている。
【００１５】
硬貨入出金口２は、硬貨が投入されるとともに、硬貨が排出される開口部である。硬貨入出金口２には、シャッタが設けられ、シャッタが駆動することにより硬貨入出金口２が開閉する。
【００１６】
紙幣入出金口３は、紙幣が投入されるとともに、紙幣が排出される開口部である。紙幣入出金口３には、シャッタが設けられ、シャッタが駆動することにより紙幣入出金口３が開閉する。
【００１７】
通帳挿入口４は、顧客により挿入される通帳を取り込んだり又は通帳を排出したりするものである。
【００１８】
カード挿入口５は、カードを用いて取引を行う場合、顧客により挿入されるＩＣカードを取り込んだり又はＩＣカードを排出したりするものである。
【００１９】
表示操作部６は、ＬＣＤ等の表示装置の上に透明タッチパネルを積層して成し、顧客の操作により各種の入力を行うとともに、操作ガイダンス等が表示されるものである。また、表示操作部６は、後述する現金自動預払機の内部構成として具備されているものである。
【００２０】
（現金自動預払機の内部構成）
現金自動預払機１の内部は、図２に示したように、現金自動預払機１の各部の動作制御や情報処理を行う主制御部７と、キャッシュカード等に記録された情報のリードライトを行うカードリードライト部９と、音声やブザーによりガイダンスを出力する音声案内部１０と、通帳の磁気ストライプのリードライト及び通帳への印字制御を行う通帳記帳部１１と、取引内容の明細書を印字して出力する明細書処理部１２と、図示しない硬貨入出金金庫や硬貨装填庫を備え硬貨の入出金制御を行う硬貨入出金部１３と、図示しない紙幣入出金金庫や紙幣装填庫を備え紙幣の入出金制御を行う紙幣入出金部１４とからなる。
【００２１】
さらに、各部に電源を供給する主電源部１５と、主制御部７の記憶部として機能しプログラムや制御パラメータなどを記録する記憶部８と図示しないホストコンピュータとのインタフェイスを制御するインタフェイス部１６を有する。
【００２２】
（スライドレール周辺の構成）
現金自動預払機１の内部構成であるカードリードライト部９、通帳記帳部１１、硬貨入出金部１３、及び紙幣入出金部１４は、係員等（例えば、当該現金自動預払機１が銀行等の店舗に設置されている場合には、当該銀行の行員や保守作業者等）が保守（定期点検、媒体のセット時及び媒体の回収時等を、以下保守という。）を行うときに、スライドレール１７によって現金自動預払機外に引き出せるようになっている。
以下、カードリードライト部９、通帳記帳部１１、硬貨入出金部１３及び紙幣入出金部１４を総称して引出し部１８という。
【００２３】
通常、装置本体内部から引出し部１８を装置本体外へ引き出す引出し部材としてスライドレール１７により引出し部１８を装置本体外へ引き出し、保守を行っていた。しかし、設置場所のスペースや後扉２０の関係上、引出し部１８を引き出すことができなかった。そこで装置本体内部の左右側面２５及び引出し部１８の左右側面にブラケット１９を用いてスライドレール１７を斜めに取り付け、スライドレール１７を介して引出し部１８を斜めに引き出せるようにしている。以下、ブラケット１９について説明する。
【００２４】
図３は、ブラケット１９の拡大図である。ブラケット１９には、固定部２３ａ及び固定部２３ｂがあり、固定部２３ａ及び２３ｂには、ネジ孔２２がそれぞれ設けられている。
【００２５】
そして、スライドレール１７を斜めに取り付けるために、ブラケット１９の固定部２３aの左右両端から突出している突出部２４ａ及び突出部２４ｂは、長さが異なるように形成されている。実施例１では、突出部２４ａは突出部２４ｂよりも長く形成されており、後扉２０と接触しない角度α分スライドレール１７を斜めに取り付けるものである。なお、突出部２４a及び突出部２４ｂの長さは、角度α及び装置の大きさ等から算出すればよいものである。なお、ここでいうスライドレール１７を斜めに取り付けるとは、片開きを行う後扉２０を９０度に開いた状態から離れていく方向であり、かつ、装置底面と平行であることを示している。しかしスライドレール１７は、必ずしも装置底面平行で必要はなく、装置底面に対して斜め上に引き出されるように取り付けてもよい。
【００２６】
次に、ブラケット１９を用いた取り付け方法について説明する。装置本体側ブラケット１９ａは、スライドレール１７を角度α分斜めに取り付けるために用いられており、図４に示したように、スライドレール１７と装置本体内部の左右側面２５を固定している。また、引出し部側ブラケット１９ｂを用いて、スライドレール１７と引出し部１８とを固定している。
【００２７】
扉支点２７側の装置本体側面に取り付ける装置本体側ブラケット１９ａの突出部２４ａは、装置後側に配置され、突出部２４ｂは、装置前側に配置し固定する。一方、扉支点２７のない側の装置側面に取り付ける装置本体側ブラケット１９ａの突出部２４ａは、装置前側に固定され、突出部２４ｂは装置後側に配置し固定する。
【００２８】
上述したように、ブラケット１９を用いてスライドレール１７を斜めに取り付けることで、装置底面に対して垂直に設けられた扉支点２７を中心に片開きを行う後扉２０から離れていくように引出し部１８を斜めに引き出すことが可能となる。
【００２９】
図５は、スライドレール１７の斜視図である。同図に示したように、ネジ孔２２がスライドレール１７の中心線Ｅに沿うように設けられている。
スライドレール１７と装置本体側ブラケット１９ａの固定部２３ａは、ネジ孔２２を対応させ、ネジ２１により固定する。
【００３０】
そして、装置本体内部の左右側面２５は、図６に示したように、装置本体側ブラケット１９ａの固定部２３ｂとネジ孔２２を対応させ、ネジ２１により固定する。
【００３１】
次に、スライドレール１７と引出し部１８は、図７に示したように、引出し部側ブラケット１９ｂの固定部２３ｂによりネジ２１で固定することができる。
【００３２】
上述したように、装置本体内部の左右側面２５にブラケット１９ａを用いてスライドレール１７を斜めに取り付けたことにより、装置底面に対して垂直に設けられた扉支点２７を中心に片開きを行う後扉２０から角度α分だけ引出し部１８を斜めに引き出すことができる。なお、角度αは、後扉２０が引出し部１８の引き出す軌跡に接触しない程度に、装置の大きさや後扉２０の厚さ等から算出すればよいものである。さらに、係員等が引出し部１８と後扉２０の隙間に入って保守を行うことを考慮し、角度αを算出するとなおよいものである。
【００３３】
実施例１では、ネジ孔２２をスライドレールの中心線Ｅに沿うように設けることとして説明したが、本発明はこれに限らず、スライドレール１７、引出し部１８、ブラケット１９及び装置本体内部の左右側面２５とネジ孔２２とが重なる位置であればよいため、ネジ孔を設ける位置や個数は適宜変更してもよい。
さらに、スライドレール１７、引出し部１８、ブラケット１９及び装置本体内部の左右側面２５にネジ孔２２を設け、ネジ２１により固定する方法を説明したが、固定する手段は、溶着等の従来周知技術を用いて行うものとすればよい。
【００３４】
以上の構成により、スライドレール１７、引出し部１８、ブラケット１９及び装置本体内部の左右側面２５のそれぞれが連結し、図８に示したようにスライドレールを斜めに取り付けることができる。また、ブラケット１９の固定部２３ａの左右両端から突出している突出部２４ａ及び突出部２４ｂは、長さが異なるように形成されているため、引出し部１８は、装置筐体の左右側面２５と引き出し部１８の側面とが平行になるように取り付けることが可能となる。
【００３５】
（動作）
以上の構成により実施例１の現金自動預払機１は、以下のように動作する。この動作を
図９を用いて以下に説明する。
【００３６】
まず初めに、係員等（例えば、当該現金自動預払機１が銀行等の店舗に設置されている場合には、当該銀行の行員や保守作業者等）は、片開きの後扉２０の錠を解錠し、装置本体内部の引出し部１８にアクセスする。そして係員等は、引出し部１８を装置本体外へ引き出す動作を行う。
【００３７】
現金自動預払機１では、引出し部１８を斜めに引き出すためにスライドレール１７を、ブラケット１９を用いて支持している。したがって、係員は、装置底面に対して垂直に設けられた扉支点２７を中心に後扉２０を開き、引出し部１８を斜めに引き出すことで、後扉２０が引出し部１８の引き出す軌跡に接触することなく容易に引き出し可能となる。
【００３８】
なお、スライドレール１７を斜めに設置するのは、引出し部１８を後扉２０に接触させることなく引き出すことが目的である。したがって、スライドレール１７は装置前面から見て、扉支点２７がある装置側面から離れる方向に伸縮動作する。また、スライドレール１７は、引出し部１８を引き出していくにつれて、扉支点２７がある装置側面から離れていくものである。
【００３９】
（実施例１の効果）
以上のように、実施例１の現金自動預払機１によれば、装置本体の左右側面２５にブラケット１９ａを用いてスライドレール１７を斜めに取り付けたことにより、装置本体内部から引出し部１８を引き出す際、引出し部１８を厚みのある後扉２０に接触することなく引き出すことが可能となる。さらに引出し部１８を斜めに引き出せるようにしたことで、係員等が保守を行うときに、後扉２０と引出し部１８のスペースを確保することができ、壁際設置等で保守スペースがない状態でも保守を行うことができる。また、後扉２０を９０度以上開く必要がなくなるため、壁際設置等でスペースがない場合でも本装置を設置することが可能となる。
【実施例２】
【００４０】
上述した実施例１の現金自動預払機１では、引出し部１８と装置本体内部底面２６の間には、空間が形成されている状態であり、重量のある引出し部１８の場合には、引出し部１８を引き出した際、装置本体内部の左右側面２５に取り付けられたスライドレール１７が歪んでしまう可能性がある。実施例２では、上述した課題を解決するために、以下に説明する。
【００４１】
実施例２に関する現金自動預払機の外観構成及び内部構成は、実施例１と同様に構成されているため、省略する。
【００４２】
（スライドレール周辺の構成）
実施例１の現金自動預払機１では、装置本体内部の左右側面２５からブラケット１９を用いてスライドレール１７を斜めに支持し、引出し部１８を斜めに引き出す例を示した。実施例２では、図１０に示したように上述した実施例１の構成に加え、装置本体内部底面２６にもスライドレール１７を斜めに取り付けている。
【００４３】
装置本体内部底面２６に取り付けるスライドレール１７は、装置本体内部の左右側面２５と同様に、ネジ等で装置底面に対して垂直に設けられた扉支点２７を中心に片開きを行う後扉２０から角度α分斜めに取り付ければよいものである。また、装置本体内部底面２６に取り付けるスライドレール１７は、必ずしもブラケット１９を用いる必要はない。なお、図１０では、装置本体内部底面２６にスライドレールを２つ設けた例を示したが、これに限られるものではなく、１つ又は２つ以上取り付けてもよい、
【００４４】
（動作）
以上の構成により実施例２の現金自動預払機１は、以下のように動作する。この動作を図１０を用いて以下に説明する。
【００４５】
まず初めに、係員等（例えば、当該現金自動預払機１が銀行等の店舗に設置されている場合には、当該銀行の行員や保守作業者等）は、片開きの後扉２０の錠を解錠し、装置本体内部の引出し部１８にアクセスする。そして係員等は、引出し部１８を装置本体外へ引き出す動作を行う。
【００４６】
現金自動預払機１では、引出し部１８を斜めに引き出すために装置本体内部の左右側面２５及び装置本体内部底面２６にスライドレール１７を取り付けている。したがって、係員は、後扉２０を開錠し引出し部１８を斜めに引き出すことで、装置本体内部の左右側面２５及び装置本体内部底面２６に取り付けられたスライドレール１７は、同時に伸縮動作を行う。したがって、引出し部１８を装置本体外へ引き出したり、装置本体内部へ収納したりすることができる。
【００４７】
（実施例２の効果）
以上のように実施例２の現金自動預払機１によれば、装置本体内部の左右側面２５に加え、スライドレール１７を、装置本体内部底面２６に斜めに形成することでスペースがない状態でも、後扉２０に接触することなく、斜めに引出し部１８を引き出すことが可能となる。また、重量のある引出し部１８の場合であっても、装置本体内部底面２６に設けられたスライドレール１７により引出し部１８の重量を支えているため、装置本体内部の左右側面２５に取り付けられたスライドレール１７が破損することがなくなる。
【００４８】
《その他の変形例》
実施例１及び実施例２では、カードリードライト部９、通帳記帳部１１、硬貨入出金部１３及び紙幣入出金部１４は、同一の引出し部１８として説明した。しかし、図１１のように、現金自動預払機１には、カードリードライト部９、通帳記帳部１１又は硬貨入出金部１３と紙幣入出金部１４が併合した引出し部（以下、現金収納部２８という。）のように複数の引出し部から構成されている装置もある。このような複数の引出し部で構成されている現金自動預払機１の場合にも、本発明は適用可能である。
【００４９】
また、例えば、カードリードライト部９及び通帳記帳部１１は、取り扱う媒体がＩＣカードや通帳であるため、現金収納部２８と比較すると、小さく形成することができる。したがって、カードリードライト部９及び通帳記帳部１１は、斜めに引き出す必要がないため従来通りのスライドレールで形成してもよい。
【００５０】
一方、現金収納部２８は、図示しない金種毎の収納カセットが備えられているため、現金収納部２８の外形は大きくなる。したがって、現金収納部２８のみに本発明を適用し、斜めに引き出すようにしてもよい。
【００５１】
実施例２では、装置本体内部底面２６にスライドレールを設け、引出し部１８を斜めに引き出すことができる例を示したが、装置本体内部底面２６に取り付けるものはスライドレール１７に限られるものではない。
【００５２】
例えば、図１２に示したように、装置本体内部の左右側面２５にはブラケット１９を用いてスライドレール１７を斜めに取り付け、さらに引出し部１８の底面に引出し部材としてキャスタ２９を取り付けてもよい。
【００５３】
引出し部１８を斜めに引き出す必要があるため、キャスタ２９は引出し部１８を斜めに引き出すときの進行方向を正面にし、引出し部１８の底面に取り付けている。上述したようにキャスタ２９を取り付けることで、引出し部１８を斜めに引き出すことが可能となる。
【００５４】
キャスタ２９を引出し部１８に対して斜めに取り付ける方法は様々である。例えば図１３ａに示したように配置線Fに沿うようにキャスタ２９を配置し、キャスタ２９の向きを斜めに取り付ける方法である。
【００５５】
また、図１３ｂに示したように、引出し部１８を斜めに引き出すときの進行方向を向くように配置線Gを斜めにし、配置線Gに沿うようにキャスタ２９を配置する方法である。
【００５６】
図１４に示したように、引出し部１８を装置本体内部の左右側面２５に取り付けたスライドレール１７とキャスタ２９により支持しながら、引出し部１８を斜めに引き出すことが可能となる。
【００５７】
以上の構成により、重量のある引出し部１８の場合であっても、キャスタ２９により引出し部１８の重量を支えているためスライドレール１７が破損することがなくなる。
【００５８】
実施例２では、装置本体内部の左右側面２５からブラケット１９を用いてスライドレール１７を斜めに支持し、さらに装置本体内部底面２６にスライドレール１７を斜めに固定する例を示したが、装置本体内部底面２６のみにスライドレール１７を設け、斜めに取り付けてもよい。
【００５９】
装置本体内部底面２６のみにスライドレール１７を取り付けた場合には、スライドレール１７を斜めに取り付けるものに限られるものではない。装置本体内部底面２６に取り付けたスライドレール１７は、Ｌ字状やＺ字状に配置してもよく、後扉２０に接触することなく引出し部１８を引き出すことができる形状であればよい。
【００６０】
なお本発明では、装置の背面に扉を設けた例を示したが、装置本体の前面に扉を設け、前方に引出し部１８を引き出す装置にも同様に適用することができる。
【産業上の利用可能性】
【００６１】
以上述べたように、本発明は、装置内部にユニット等の引き出し部をスライドレールにより引き出す現金自動預払機等の自動取引装置に広く用いることができる。
【符号の説明】
【００６２】
１    現金自動預払機
１７  スライドレール
１８  引出し部
１９  ブラケット
１９ａ 装置本体側ブラケット
１９ｂ 引出し部側ブラケット
２０  後扉
２１  ネジ
２２  ネジ孔
２３ａ ２３ｂ 固定部
２４ａ ２４ｂ 突出部
２５  装置本体内部の左右側面
２６  装置本体内部底面
２７  扉支点
２８  現金収納部
２９  キャスタ
【図１】
2014164312.tif 000003
【図２】
2014164312.tif 000004
【図３】
2014164312.tif 000005
【図４】
2014164312.tif 000006
【図５】
2014164312.tif 000007
【図６】
2014164312.tif 000008
【図７】
2014164312.tif 000009
【図８】
2014164312.tif 000010
【図９】
2014164312.tif 000011
【図１０】
2014164312.tif 000012
【図１１】
2014164312.tif 000013
【図１２】
2014164312.tif 000014
【図１３ａ】
2014164312.tif 000015
【図１３ｂ】
2014164312.tif 000016
【図１４】
2014164312.tif 000017
【図１５】
2014164312.tif 000018
【図１６】
2014164312.tif 000019
【図１７】
2014164312.tif 000020
【図１８ａ】
2014164312.tif 000021
【図１８ｂ】
2014164312.tif 000022